(57)【要約】【課題】本発明は、舌下部で長時間継続した体温測定を可能とし、さらに長時間に渡る体温測定であっても測定精度を低下させることがない舌下体温計を提供することを目的とした。【解決手段】舌下体温計１は、口腔内に配されて体温が測定可能なもので、複数の温度センサ２と、舌下に挿入される舌下挿入部３とを有する。舌下挿入部３は舌下に挿入した際に、温度センサ２の検温部４が、舌下挿入部３の舌裏側に接する表面部と当該表面部に対向する裏面部からそれぞれ複数個露出している。【選択図】図５
2010230538.tif 000002
【特許請求の範囲】
【請求項１】
口腔の舌下に配されて体温を測定可能な舌下体温計において、
体温が検知される複数の温度センサと、
舌下に挿入される舌下挿入部を有し、
当該舌下挿入部は舌下に挿入された際に、舌裏側に接する表面部と、当該表面部に対向する裏面部を有し、
前記温度センサの検温部が、舌下挿入部の表面部及び裏面部にそれぞれ複数個露出していることを特徴とする舌下体温計。
【請求項２】
前記舌下挿入部は、顎力で弾性変形する弾性体で構成されていることを特徴とする請求項１に記載の舌下体温計。
【請求項３】
各温度センサにより検知された温度を比較して、当該温度の最大値又は当該最大値に基づいた値を出力可能な制御部を備えたことを特徴とする１又は２に記載の舌下体温計。
【請求項４】
前記制御部は、各温度センサにより検知された温度の平均値をさらに出力可能であることを特徴とする請求項３に記載の舌下体温計。
【請求項５】
前記制御部は、温度の前記最大値又は最大値に基づいた値、あるいは前記平均値を経時的に出力可能であることを特徴とする請求項３又は４に記載の舌下体温計。
【請求項６】
前記舌下挿入部は、平面あるいは立体を形成し、
前記温度センサが、舌下挿入部から突出していることを特徴とする請求項１乃至５のいずれかに記載の舌下体温計。
【請求項７】
前記舌下挿入部は、円盤状であることを特徴とする請求項６に記載の舌下体温計。
【請求項８】
前記舌下挿入部は平面状に渦巻きを形成した渦状部を有していることを特徴とする請求項６に記載の舌下体温計。
【発明の詳細な説明】
【技術分野】
【０００１】
本発明は、舌下体温計に関するもので、特には長時間連続して核心温度が測定できる舌下体温計に関する。
【背景技術】
【０００２】
一般的に、身体温度を測定する場合、測定しやすい腋下や耳などの体の外側部分の温度、所謂外殻温度が測定される。しかしながら、測定される外殻温度は、測定対象者が置かれた環境の温度変化等に左右されやすいため、測定対象者の正確な身体温度のデータを必要とする外科手術や生理学研究等の試験においては不適である。
【０００３】
そのため、外科手術や生理学研究の試験においては、従来より口腔や直腸などの体の深部温度、所謂核心温度が測定されている。即ち、核心温度は、測定対象者が置かれた環境温度の変動によって殆ど変化することがなく、測定対象者の正確な身体温度のデータを得ることができる。
【０００４】
ここで、外科手術においては、長時間継続して患者の体の変化をモニタリングする手段の一つとして体温データを採取することがある。その場合、特許文献１に開示された体温測定装置等を用いて直腸温を測定することがあるが、患者は麻酔をかけられていることもあり、不快感による心的ストレスを感じることはない。
一方、生理学研究の試験においても、外科手術同様、長時間継続して被験者の体の変化をモニタリングするため、体温データの採取が必要である。そのため、外科手術同様、直腸における核心温度の測定が考えられるが、直腸の体温測定は手術とは異なり、被験者が不快感をともなうため、被験者の心的ストレスが長時間の試験実施を妨げることがあった。また、被験者が置かれる試験環境、例えば入浴中の人の体温の変化を測定する様な場合は、直腸における体温測定自体が危険あるいは困難となる場合があった。
【先行技術文献】
【特許文献】
【０００５】
【特許文献１】特表２０００−５１２８７３
【発明の開示】
【発明が解決しようとする課題】
【０００６】
そこで、本発明者らは、生理学研究の試験においては、容易に核心温度を測定できる舌下での体温測定が好ましいと考える。即ち、前記した入浴中の体温を測定する様な場合には、舌下式の体温計を用いることが好ましいと考えられる。ここで、舌下式の体温計は、温度センサが設けられた部位を舌下部の温度の高い位置に配し、所定時間が経過するまで、温度センサを当該舌下部に固定して測定するものである。
ところが、従来技術において、長時間継続して測定することを目的とした舌下式の体温計は存在しない。
【０００７】
ここで、従来の舌下式の体温計の問題点として、測定時に温度センサの位置を動かないように固定することが困難であることが挙げられる。即ち、舌下部で体温を測定する場合、温度センサを舌下部の最適な測定位置（温度の高い位置）に載置するが、体温計を固定するには被験者自らの手で固定あるいは舌で保持するしかない。そのため、被験者は、試験が実施されている間、手や舌で温度センサの固定状態を維持しなければならず、試験が長時間継続すると、被験者の腕は筋肉の緊張が僅かに緩むだけで微動し、意図することなく温度センサの位置をずらしてしまう問題があった。また、舌で保持する場合は、手で体温計を固定するよりも固定状態は不安定となるため、前記同様温度センサの位置をずらしてしまう問題があった。これにより、従来技術の舌下での体温測定においては、温度センサが最適な測定位置からずれ、正確な核心温度の測定ができない場合があった。
【０００８】
そこで本発明は、舌下部で長時間継続した体温測定を可能とし、さらに長時間に渡る舌下部における体温測定であっても測定精度を低下させることがない舌下体温計を提供することを課題とする。
【課題を解決するための手段】
【０００９】
上記課題を解決するための請求項１に記載の発明は、口腔の舌下に配されて体温を測定可能な舌下体温計において、体温が検知される複数の温度センサと、舌下に挿入される舌下挿入部を有し、当該舌下挿入部は舌下に挿入された際に、舌裏側に接する表面部と、当該表面部に対向する裏面部を有し、前記温度センサの検温部が、舌下挿入部の表面部及び裏面部にそれぞれ複数個露出していることを特徴とする舌下体温計である。
【００１０】
先に説明した様に、舌下での体温の測定は、舌下の高温部において測定することが知られている。そこで、本発明の舌下体温計は、複数の温度センサを備えた舌下挿入部を舌下に載置するため、体温測定中に温度センサが当初の測定位置からずれても、いずれかの温度センサが舌下の高温部に配される。即ち、測定位置を当初の位置に維持できない等の個人差による測定精度の低下を生じさせないので、安定した核心温度の測定が可能である。言い換えると、被験者は、温度センサを当初の測定位置からずらしてはいけないという心理的なストレスが緩和されるため、長時間に渡る測定を遂げることが可能となる。従って、本発明の舌下体温計によれば、被験者の核心温度を長時間継続して測定しても、正確な測定結果を得ることができる。さらに本発明の舌下体温計は、舌下に載置した際に、舌下挿入部の表裏面それぞれ複数個の温度センサが配されているため、表裏面のいずれを取っても体温が検知され、測定時に舌下挿入部の表裏を確認する必要がない。
【００１１】
請求項２に記載の発明は、前記舌下挿入部は、顎力で弾性変形する弾性体で構成されていることを特徴とする請求項１に記載の舌下体温計である。
【００１２】
本発明の舌下体温計は、舌下挿入部が顎力で弾性変形する程度の弾性力を有した弾性体であるため、舌下の測定位置に接しやすくなり、より安定した測定が可能である。さらに、舌下挿入部は、比較的柔らかい弾性体であるため、口腔内を傷つけることがない。
【００１３】
請求項３に記載の発明は、各温度センサにより検知された温度を比較して、当該温度の最大値又は当該最大値に基づいた値を出力可能な制御部を備えたことを特徴とする１又は２に記載の舌下体温計である。
【００１４】
本発明の舌下体温計は、各温度センサによって検知された温度を比較して最大値又は最大値に基づいた値を出力するため、測定誤差を生じることが殆どない。
【００１５】
請求項４に記載の発明は、前記制御部は、各温度センサにより検知された温度の平均値をさらに出力可能であることを特徴とする請求項３に記載の舌下体温計である。
【００１６】
本発明の舌下体温計は、各温度センサにより検知された温度の平均値をさらに出力できるため、口腔内に出来た炎症部における異常な温度を排除することができる。
【００１７】
請求項５に記載の発明は、前記制御部は、温度の前記最大値又は最大値に基づいた値、あるいは前記平均値を経時的に出力可能であることを特徴とする請求項３又は４に記載の舌下体温計である。
【００１８】
本発明の舌下体温計は、経時的に最大温度あるいは平均温度が出力されるため、被験者の長時間継続した体温データを容易に得ることができる。
【００１９】
請求項６に記載の発明は、前記舌下挿入部は、平面あるいは立体を形成し、前記温度センサが、舌下挿入部から突出していることを特徴とする請求項１乃至５のいずれかに記載の舌下体温計である。
【００２０】
本発明の舌下体温計は、舌下挿入部が平面あるいは立体を形成し、温度センサが舌下挿入部から突出した構成を有しているため、舌下での温度センサの密着性が高まる。即ち、体温を検知しない状況を作らないため、より信頼できる測定データを得ることができる。
【００２１】
請求項７に記載の発明は、前記舌下挿入部は、円盤状であることを特徴とする請求項６に記載の舌下体温計である。
【００２２】
本発明の舌下体温計は、舌下挿入部が円盤状であるため、舌下に配した際に異物感を感じにくく、被験者に不快感を与えることなく測定が出来る。
【００２３】
請求項８に記載の発明は、前記舌下挿入部は平面状に渦巻きを形成した渦状部を有していることを特徴とする請求項６に記載の舌下体温計である。
【００２４】
本発明の舌下体温計は、舌下挿入部を平面状に渦巻きに形成しているため、舌下挿入部に対する部材コストを下げることができる。結果的に製造コストを低減できる。
【発明の効果】
【００２５】
本発明の舌下体温計では、舌下に導入する複数の温度センサを舌下挿入部の表裏面のそれぞれに設けたため、温度センサの位置が当初の測定位置からずれた場合であっても、温度センサのいずれかが最適な測定位置の温度を検知するため、測定精度が低下することがない。また、温度センサの位置を気にすることなく舌下挿入部を口腔内に配することができるため、舌下での測定を容易にさせる。
【図面の簡単な説明】
【００２６】
【図１】本発明の第１実施形態に係る舌下体温計を示す斜視図である。
【図２】図１の舌下体温計を示す平面図である。
【図３】図１の舌下体温計をＡ方向から見た矢視図である。
【図４】舌下体温計の制御を示すブロック図である。
【図５】本発明の実施形態にかかる舌下体温計の使用方法を示す説明図で、（ａ）は正面図で、（ｂ）は側面図である。
【図６】固定具を用いた舌下体温計の固定方法を示す説明図で、（ａ）は正面図で、（ｂ）は側面図である。
【図７】本発明の第２実施形態に係る舌下体温計を示す平面図である。
【図８】図７の舌下体温計をＢ方向から見た矢視図である。
【図９】本発明の第３実施形態に係る舌下体温計を示す側面図である。
【図１０】本発明の第４実施形態に係る舌下体温計を示す側面図である。
【発明を実施するための形態】
【００２７】
以下に本発明を実施するための好ましい実施形態について、図面を参照しながら詳細に説明する。
【００２８】
本発明の実施形態に係る舌下体温計１は、体温測定対象者（以下、被験者という）の舌下に舌下挿入部３を配し、舌下挿入部３に保持された複数の温度センサ２により、被験者の核心温度が測定されるものである。即ち、第１実施形態の舌下体温計１は、図１に示す様に、温度センサ２と、舌下挿入部３と、検知された温度を出力する制御部６（図４）により構成されている。なお、本実施形態では、出力された温度はモニタリング装置１７（図４）により表示及び記憶される。
【００２９】
各温度センサ２ａ〜２ｄは、舌下に当接する検温部４を有しており、検知された温度により電気抵抗を変化させて温度を測定する公知のサーミスタが採用され、当該サーミスタの先端部に熱の放熱を阻止する球状あるいはラグビーボール状の樹脂カバー１５が設けられている。即ち、本実施形態では、樹脂カバー１５により検知された熱が即座に放熱されないようにされており、誤差のない温度測定を可能としたものである。また、各温度センサ２ａ〜２ｄは、図２に示す様に、それぞれ独立した信号線１８と接続されており、後述する制御部６と接続されるケーブル１６と繋がっている。即ち、各温度センサ２ａ〜２ｄで検知された温度の信号は、それぞれ独立して制御部６に入力される。
【００３０】
舌下挿入部３は、複数の温度センサ２ａ〜２ｄを保持する円盤状部材であり、舌下挿入部３の径が最大で１５ｍｍ程度に設計される。本実施形態では、舌下挿入部３の径が１０ｍｍとされている。即ち、舌下挿入部３の大きさは、舌下に配した際に、異物感が殆どなく収まる程度の大きさとされている。また、本実施形態に採用される舌下挿入部３は、弾性変形可能な合成樹脂を用いて一体成形にて製造される。即ち、円形の凹部を有する型に温度センサ２の検温部４を配置し、この状態で溶融状の樹脂を型に流し込んで、検温部４を樹脂に埋設する。ただし、温度センサ２の検温部４の一部は、直接的に舌下挿入部３から露出させる。例えば、球状の検温部４を採用する場合であるならば、１つの球状の検温部４の一部が舌下挿入部３の一面に露出し、同じ検温部４の反対側の部位が、舌下挿入部３の裏面に露出する。
また、当該合成樹脂は、大人の顎の力で噛める程度の弾性力を有したものであるため、口腔内に傷をつける心配がない。さらに、舌下挿入部３は、弾性変形により温度センサ２ａ〜２ｄが舌下に当接しやすいため、温度センサ２が舌下の温度を検知しない不具合を防止できる。
【００３１】
制御部６は、図４に示すように、温度センサ２により検知された温度の信号が信号線１８とケーブル１６を介して入力され、当該信号を処理してモニタリング装置１７に経時的に出力するものである。具体的には、制御部６は、比較部７を備えており、当該比較部７により当該制御部６に入力された複数の信号を比較して温度の最大値を出力する。即ち、舌下における最適な位置（舌下の高温を示す位置）での温度測定が容易に実現できる。また、本実施形態では、制御部６が一定の補正をした最大値が出力される構成であっても構わない。これにより、樹脂カバー１５や温度センサ２による器械的誤差を低減することができる。
【００３２】
モニタリング装置１７は、図４に示すように、制御部６から出力された信号がケーブル１６を介して入力されて記憶され、図示しないディスプレイに表示するものである。即ち、制御部６から長時間継続して信号が入力されると、当該ディスプレイにより経時的に確認でき、さらに記憶されたデータを信号が入力されたと同時あるいは別のタイミングで紙などにも出力できる。
【００３３】
次に本実施形態の舌下体温計１の組み立て構造について説明する。
【００３４】
本実施形態の舌下体温計１は、図１に示すように、円盤状の舌下挿入部３に４つの温度センサ２ａ〜２ｄが配され、当該温度センサ２ａ〜２ｄが舌下挿入部３の平面に略二等辺三角形を形成するように配置されている。具体的には、温度センサ２ａ〜２ｄは、ケーブル１６が延伸する方向と反対方向に当該三角形の頂角が配されており、２つの底角は当該頂角よりもケーブル１６側に配されている。即ち、当該三角形の３つの頂点には、それぞれ１つずつの温度センサ２ａ〜２ｃが配置され、当該頂角から対向する辺に垂直に下した仮想線と交わる交点に残りの１つの温度センサ２ｄが配置されている。これにより、温度センサ２ａ〜２ｄは、舌下挿入部３を舌下に配した際に、舌下の基端側の温度を容易に測定できる。
【００３５】
また、温度センサ２ａ〜２ｄの検温部４は、舌下挿入部２の表面側と裏面側のいずれからでも温度測定ができるように、舌下挿入部３の表裏面から突出するように設けられている。具体的には、図３に示すように、温度センサ２ａ〜２ｄの検温部４のそれぞれが、平面を形成する舌下挿入部３の表面側に一部が突出し、裏面側に当該一部と対向する各温度センサ２ａ〜２ｄの一部が突出している。即ち、本実施形態の舌下体温計１を用いれば、被験者は舌下挿入部３の表裏面を気にする必要がなく舌下に載置することができるため、舌下での測定を容易にさせる。結果的に、温度センサ２が体温を検知できないという不具合を生じさせない。
【００３６】
また、各温度センサ２ａ〜２ｄは、舌下挿入部３の内部で２本の通信線１８（プラス側とマイナス側）の一方の端部と接続され、当該通信線１８の他方の端部がケーブル１６に繋がっている。そして、ケーブル１６の中途に比較部７を備えた制御部６が配され、さらに制御部６から舌下体温計１の反対方向に延伸したケーブル１６にモニタリング装置１７が接続されている。なお、前記した様に、各温度センサ２ａ〜２ｄの信号は、それぞれ独立して制御部６に入力され、制御部６で処理された信号が出力されてモニタリング装置１７に入力される。
【００３７】
次に本実施形態の舌下体温計１の使用方法及び制御について説明する。
【００３８】
本実施形態の舌下体温計１は、図５（ａ），（ｂ）に示すように、口腔内の舌下に載置して、核心温度を測定するものであり、長時間継続した測定を可能としている。具体的には、被験者自身が舌下体温計１の舌下挿入部３を舌下の中心から右側あるいは左側のいずれかの領域に配し、当該舌下挿入部３から表裏面に突出した温度センサ２の検温部４を舌下に当接させる。すると、温度センサ２ａ〜２ｄにより当該当接部の温度が検知されて、それぞれの温度センサ２ａ〜２ｄの温度信号が制御部６に入力される。そして、制御部６により、温度センサ２ａ〜２ｄからの信号のうち、最大値を示す信号のみがモニタリング装置１７側に出力される。なお、制御部６は、温度センサ２ａ〜２ｄにより温度が検知されている間、経時的にモニタリング装置１７に信号が出力されている。
【００３９】
従って、本実施形態の舌下体温計１によれば、温度センサ２ａ〜２ｄのいずれかが舌下の最適な測定位置（周囲よりも高温を示す位置）に位置するため、測定位置を当初の位置に維持できない等の個人差が生じない。即ち、被験者によることなく安定した測定精度の結果を得ることができる。また、測定中に温度センサ２ａ〜２ｄの位置をずらすことがあったとしても、いずれかの温度センサ２ａ〜２ｄが最適な測定位置の温度を検知するため、被験者は、先に説明したような温度センサ２の位置を動かしてはいけないという心的ストレスを感じることなく、長時間継続した温度検知が可能である。言い換えると、最適な測定位置で検知された高温の信号を、制御部６が長時間継続してモニタリング装置１７に出力することが可能である。これにより、被験者の核心温度を経時的に高精度にモニタリングすることができる。
【００４０】
また、より確実に舌下体温計１を口腔内に固定できる方法を説明する。
【００４１】
上記以外の舌下体温計１の固定方法としては、図６（ａ），（ｂ）に示す様に、口腔内の左側もしくは右側領域の複数の奥歯に被せて固定できるマウスピース型の固定具９を用いて、当該固定具９に舌下体温計１のケーブル１６の中途を固定して被験者の舌下の温度を測定する。ここで、固定具９は、エチレン・ビニル・アセテート（ＥＶＡ）を含んだ公知のマウスピースが採用されており、固定具９は８０度以上の熱湯に浸すことで容易に変形するため、被験者の歯形に合った固定具９が使用できる。即ち、固定具９を用いて舌下体温計１を口腔内に固定する場合、舌下体温計１が測定位置からずれることが殆どなくなる。さらに、被験者自身が舌下体温計１を固定しているという感覚がなくなるため、長時間継続した測定に対する精神的負担がより軽減される。
【００４２】
さらに舌下体温計１の別の固定方法としては、舌下挿入部３及び温度センサ２の検温部４に粘着性を有する粘着剤を塗布して、図５に示す様に直接舌下に固定する方法がある。この方法であっても、固定具９を用いた場合と同様、舌下体温計１が測定位置からずれることが殆どなくなる。さらに、被験者自身が舌下体温計１を固定しているという感覚がなくなるため、長時間継続した測定に対する精神的負担がより軽減される。
【００４３】
上記第１実施形態では、円盤形状の舌下挿入部３を用いて平面を形成した構成を示したが、本発明はこの構成に限定されるわけではなく、例えば、舌下挿入部３が渦巻き状の平面を形成した構成であっても構わない。なお、以下の説明において、説明の重複を避けるために、上記した同じ部材には同じ番号を付する。
【００４４】
即ち、第２実施形態の舌下体温計２１は、図７に示すように、４つの温度センサ２ａ〜２ｄを備えた舌下挿入部２３が、平面状に渦を巻いた渦状部２２を形成した構成とされている。なお、第２実施形態では、舌下挿入部２３は第１実施形態の舌下体温計１に採用された合成樹脂により構成されているため、渦状部２２は弾性変形可能な構成と言える。また、渦状部２２を金属で作る場合であっても、全体としてある程度の撓みを許す構造となり、弾性変形可能な構造と言える。即ち、渦状部２２を口腔内に配しても、渦状部２２が口腔内に傷をつける心配はない。さらに渦状部２２が弾性変形することにより、温度センサ２が舌下に当接しやすくなるため、温度センサ２が温度を検知しない不具合を防止できる。また舌下体温計２１であれば、舌下挿入部２３は、第１実施形態の舌下挿入部３と比較すると部材コストを低減することができる。
【００４５】
温度センサ２ａ〜２ｄは、第１実施形態と略同じ配置とされている。即ち、温度センサ２ａ〜２ｄの検温部４は、ケーブル１６が延伸する方向と反対方向に頂角が位置された略二等辺三角形を形成している。別の見方をすると、舌下挿入部２３を直線状に伸ばした状態において、各温度センサ２ａ〜２ｄの検温部４は直線方向に等間隔に配されている。
【００４６】
また、第２実施形態の舌下体温計２１においても、温度センサ２ａ〜２ｄの検温部４は、渦状部２２が形成する平面の表裏面から突出している。具体的には、図８に示すように、温度センサ２ａは当該平面の表面側に若干多く突出しており、温度センサ２ｂ，２ｃは当該平面の裏面側に若干多く突出しており、温度センサ２ｄは当該平面の表裏面に均等的に突出している。即ち、第２実施形態の舌下体温計２１は、渦状部２２の弾性変形に加えて、温度センサ２ａ〜２ｄの検温部４が渦状部２２が形成する平面の表面側又は裏面側に突出した構成を有しているため、温度センサ２ａ〜２ｄのいずれかは確実に舌下に当接して温度を測定することができる。
【００４７】
そして、温度センサ２ａ〜２ｄによって検知された温度は、ケーブル１６を介して制御部６に入力され、制御部６で処理されてモニタリング装置１７に出力される。
従って、第２実施形態の舌下体温計２１においても、温度測定中に、被験者が温度センサ２の位置をずらすことがあったとしても、温度センサ２ａ〜２ｄのいずれかが最適な測定位置の温度を検知するため、第１実施形態と同様、測定精度を低下させることなく、長時間継続した核心温度のモニタリングが可能となる。
【００４８】
また上記実施形態では、各温度センサ２ａ〜２ｄの検温部４の一部が、舌下挿入部３の表面側と裏面側に突出した構成を示したが、本発明はこの構成に限定されるわけではない。即ち、第３実施形態の舌下体温計２５は、図９に示す様に、舌下挿入部２６の表面側と裏面側にそれぞれ温度センサ２を配して、舌下挿入部２６を温度センサ２で挟む構成であっても構わない。具体的には、舌下挿入部２６の表面側に４つの温度センサ２ｅ〜ｈを配し、裏面側にさらに４つの温度センサ２ｉ〜２ｌを配する。そして、各温度センサ２ｅ〜２ｌを舌下挿入部２６に一体的に固定する。この構成により、上記実施形態と同様の作用効果を得ることが可能である。
【００４９】
上記実施形態では、舌下挿入部３，２３，２６が平面形状を形成する構成とされていたが、本発明はこれに限定されるわけではなく、立体形状を有する構成であっても構わない。即ち、図１０に示すように、第４実施形態の舌下体温計２８は、舌下挿入部２９がラグビーボール形状で、舌下に載置した際に、上下方向に厚みを有する形状である。しかしながら、舌下挿入部２９よりも上記実施形態に採用された平面形状の舌下挿入部３，２３，２６のほうが、口腔内に載置した際に、異物感を感じにくい。
【００５０】
上記実施形態では、制御部６は比較部７により、温度センサ２が検知した温度の最高値を出力する構成を示したが、本発明はこれに限定されるわけではなく、制御部６が演算部をさらに備え、温度センサ２により検知された温度の平均値を算出して出力可能な構成であっても構わない。ここで、従来より平均値の算出方法は多数存在し、その内いずれかを採用して演算部に組み込むことが推奨される。例えば、検知された温度を温度センサ２の数で除する相加平均や、最大値と最小値の間に分布する値の平均を算出する方法などが挙げられる。
即ち、このような演算方法によって算出された平均値がモニタリング装置１７に出力されることで、口腔内の一部が炎症を起こし、温度センサ２のいずれかが異常な高温値を検知したとしても、平均値を算出することで誤差を緩和できる。
【００５１】
上記実施形態では、温度センサ２の検温部４が舌下挿入部３の表裏面から突出した構成を示したが、本発明はこれに限定されるわけではなく、舌下挿入部３内部に温度センサ２が収まる構成であっても構わない。その場合であっても、舌下挿入部３の表裏面のいずれからも温度センサ２の検温部４が舌下の温度を検知できる構成にする必要がある。
【００５２】
上記実施形態では、舌下挿入部３を円盤状とした構成を示したが、本発明はこれに限定されるわけではなく、平面状の板部材であればよい。即ち、矩形や楕円状の板部材であっても構わない。
【００５３】
上記実施形態では、制御部６が舌下挿入部３，２３，２６，２９とモニタリング装置１７との間に配置した構成を示したが、本発明はこれに限定されるわけではなく、制御部６をモニタリング装置１７自体に組み込んだ構成であっても構わない。
【符号の説明】
【００５４】
１，２１，２５，２８    舌下体温計
２    温度センサ
３，２３，２６，２９    舌下挿入部
４    検温部
６    制御部
２２    渦状部
【図１】
2010230538.tif 000003
【図２】
2010230538.tif 000004
【図３】
2010230538.tif 000005
【図４】
2010230538.tif 000006
【図５】
2010230538.tif 000007
【図６】
2010230538.tif 000008
【図７】
2010230538.tif 000009
【図８】
2010230538.tif 000010
【図９】
2010230538.tif 000011
【図１０】
2010230538.tif 000012